(57)【要約】【課題】通信システムにおける通信障害を迅速に回復する。【解決手段】ポートごとに接続先のポートを設定する接続設定に応じて、複数の該ポートに接続される複数のチャネルを交差接続するクロスコネクト装置は、前記接続設定がされたポートに対応するチャネルの交差接続を行う接続手段と、予め与えられた接続設定において、接続先のポートが設定されているポートに接続されるチャネルをマスタチャネルとして登録し、接続先のポートが設定されていないポートに接続されるチャネルをバックアップチャネルとして登録し、前記接続設定を有効にする登録手段と、前記登録手段により登録された前記マスタチャネルに異常が検出されたとき、異常が検出された該マスタチャネルを、前記登録手段により登録された前記バックアップチャネルに切り替える切替手段と、を有する。【選択図】図２
2009213058.tif 000002
【特許請求の範囲】
【請求項１】
ポートごとに接続先のポートを設定する接続設定に応じて、複数の該ポートに接続される複数のチャネルを交差接続するクロスコネクト装置であって、
前記接続設定がされたポートに対応するチャネルの交差接続を行う接続手段と、
予め与えられた接続設定において、接続先のポートが設定されているポートに接続されるチャネルをマスタチャネルとして登録し、接続先のポートが設定されていないポートに接続されるチャネルをバックアップチャネルとして登録し、前記接続設定を有効にする登録手段と、
前記登録手段により登録された前記マスタチャネルに異常が検出されたとき、異常が検出された該マスタチャネルを、前記登録手段により登録された前記バックアップチャネルに切り替える切替手段と、
を有するクロスコネクト装置。
【請求項２】
前記切替手段は、前記接続設定を変更することにより、異常が検出された該マスタチャネルを前記登録手段により登録された前記バックアップチャネルに切り替える、請求項１に記載のクロスコネクト装置。
【請求項３】
複数の前記チャネルの一端は前記クロスコネクト装置の複数の前記ポートに接続され、他端は他の装置に接続され、
前記登録手段は、接続先のポートが設定されていない前記ポートに接続されるチャネルのうち、前記マスタチャネルが接続される前記装置と同じ装置に他端が接続されるチャネルを該マスタチャネルに対応するバックアップチャネルとして登録し、
前記切替手段は、異常が検出された前記マスタチャネルを、前記登録手段により登録された該マスタチャネルに対応する前記バックアップチャネルに切り替える、請求項１又は２に記載のクロスコネクト装置。
【請求項４】
前記切替手段は、前記登録手段により登録された前記マスタチャネルに異常が検出され、且つ異常が検出された該マスタチャネルが接続される通信インターフェースに異常が検出されないとき、異常が検出された該マスタチャネルを前記登録手段により登録された前記バックアップチャネルに切り替える、請求候１乃至３のいずれか１項に記載のクロスコネクト装置。
【請求項５】
前記登録手段は、接続先のポートが設定されていないポートに接続されるチャネルであって、異常が検出されない該チャネルをバックアップチャネルとして登録する、請求候１乃至４のいずれか１項に記載のクロスコネクト装置。
【請求項６】
複数の前記チャネルは、マイクロ波無線信号を変換した電気信号を伝送するチャネルを含む、請求項１乃至５のいずれか１項に記載のクロスコネクト装置。
【請求項７】
ポートごとに接続先のポートを設定する接続設定に応じて、複数の該ポートに接続される複数のチャネルを交差接続するクロスコネクト方法であって、
前記接続設定がされたポートに対応するチャネルの交差接続を行う接続手段と、
予め与えられた接続設定において、接続先のポートが設定されているポートに接続されるチャネルをマスタチャネルとして登録し、接続先のポートが設定されていないポートに接続されるチャネルをバックアップチャネルとして登録し、前記接続設定を有効にし、
登録した前記マスタチャネルに異常が検出されたとき、異常が検出された該マスタチャネルを、登録した前記バックアップチャネルに切り替える、クロスコネクト方法。
【発明の詳細な説明】
【技術分野】
【０００１】
本発明は、複数のチャネルを相互に交差接続するクロスコネクト装置に関し、特にマイクロ波無線通信システムにおけるクロスコネクト装置に関する。
【背景技術】
【０００２】
マイクロ波通信システムにおいては、通常、ＩＤＵ（InDoor Unit）にクロスコネクト機能をもたせる。クロスコネクト機能は、通信速度などが異なる複数の伝送経路（チャネル）を相互に交差接続する機能である。ＩＤＵがクロスコネクト機能を備えることによって、用途や伝送速度ごとに形式の異なるデータ伝送路が存在する場合にも、データを所望の別の経路に出力することができる。
【０００３】
無線通信の場合、有線通信に比べて通信状態が不安定であるため、データ信号の一部が化けてビットエラーや無線通信の切断が発生する可能性が高い。また、有線通信の場合も、ビットエラーやケーブルが物理的に断線することがある。
【０００４】
このような通信障害が生じたとき、特許文献１〜５に記載のクロスコネクト装置は、通信障害の発生したチャネルをバックアップ用のチャネルに切り替えて通信を継続する構成としている。
【特許文献１】特開２００３−３１８９８３号公報
【特許文献２】特開２００４−１８７１６２号公報
【特許文献３】特開２００４−１８７１６９号公報
【特許文献４】特開２００６−３３５８０号公報
【特許文献５】特許３７９７４７０号
【発明の開示】
【発明が解決しようとする課題】
【０００５】
しかし、特許文献１〜５に記載のクロスコネクト装置は、通信障害が発生した場合に、オペレータが切り替えるためのチャネルを探して手動で設定する必要がある。複雑な通信網においては、空いているチャネルを探して手動で切替先に設定するのに時間を要し、通信障害に迅速に対応できないという問題があった。
【０００６】
上述の問題点に鑑み、本発明は、通信システムにおける通信障害を迅速に回復する技術の提供を目的とする。
【課題を解決するための手段】
【０００７】
上記目的を達成するために、本発明のクロスコネクト装置は、ポートごとに接続先のポートを設定する接続設定に応じて、複数の該ポートに接続される複数のチャネルを交差接続するクロスコネクト装置であって、前記接続設定がされたポートに対応するチャネルの交差接続を行う接続手段と、予め与えられた接続設定において、接続先のポートが設定されているポートに接続されるチャネルをマスタチャネルとして登録し、接続先のポートが設定されていないポートに接続されるチャネルをバックアップチャネルとして登録し、前記接続設定を有効にする登録手段と、前記登録手段により登録された前記マスタチャネルに異常が検出されたとき、異常が検出された該マスタチャネルを、前記登録手段により登録された前記バックアップチャネルに切り替える切替手段と、を有する。
【０００８】
また、本発明のクロスコネクト方法は、ポートごとに接続先のポートを設定する接続設定に応じて、複数の該ポートに接続される複数のチャネルを交差接続するクロスコネクト方法であって、前記接続設定がされたポートに対応するチャネルの交差接続を行う接続手段と、予め与えられた接続設定において、接続先のポートが設定されているポートに接続されるチャネルをマスタチャネルとして登録し、接続先のポートが設定されていないポートに接続されるチャネルをバックアップチャネルとして登録し、前記接続設定を有効にし、登録した前記マスタチャネルに異常が検出されたとき、異常が検出された該マスタチャネルを、登録した前記バックアップチャネルに切り替える。
【発明の効果】
【０００９】
本発明によれば、クロスコネクト装置は、マスタチャネルとバックアップチャネルとを自動設定し、障害が検出された場合にマスタチャネルをバックアップチャネルに自動的に切り替えるので、手動で切り替える必要がなく、通信システムにおける通信障害を迅速に回復することができる。
【発明を実施するための最良の形態】
【００１０】
（第１実施形態）
本発明を実施するための第１実施形態について図面を参照して詳細に説明する。図１は本発明の第１実施形態における通信システム１の構成を示すブロック図である。
【００１１】
通信システム１は、例えばマイクロ波無線通信システムである。同図を参照すると、通信システム１は、ＩＤＵ（Indoor Unit）１０、ＯＤＵ（Outdoor Unit）２０、およびＯＤＵ２１を有する。ＩＤＵ１０とＯＤＵ２０とは同軸ケーブルで接続され、ＩＤＵ１０とＯＤＵ２１とは光ケーブルで接続される。そして、ＩＤＵ１０はＯＤＵ２０や他のＯＤＵを介してＩＤＵ１２およびＩＤＵ１３と無線通信を行い、ＯＤＵ２１を介してＩＤＵ１１と無線通信を行なう。この無線通信には、ＴＤＭ(Time Division Multiplex)やＦＤＭ（Frequency Division Multiplex)などの方式により多重化された複数の回線（チャネル）が用いられている。
【００１２】
本実施形態においてチャネルには、物理的な回線のみならず、ＴＤＭ等により論理的に多重化された回線が含まれる。
【００１３】
ＩＤＵ１０は、屋内に設置されており、ＯＤＵ２０から多重化された電気信号を受信する。そして、ＩＤＵ１０は、ＯＤＵ２０側のチャネルを、ＯＤＵ２１側のチャネルと論理的に交差接続する。そしてＩＤＵ１０は、接続先の各チャネルをＭＵＸ（MUltipleXer）により１本以上のチャネルに束ね、そのチャネルにおいて伝送される電気信号をＥ／Ｏ（Electrical/Optical converter）により光信号に変換してＯＤＵ２１などに送信する。
【００１４】
一方、ＩＤＵ１０は、ＯＤＵ２１から光信号を受信し、受信した光信号をＯ／Ｅ（Optical/Electrical converter）により電気信号に変換し、ＤＥＭＵＸ（DEMUltipleXer）により多重化する。例えば、ＩＤＵ１０は、ＴＤＭ(Time Division Multiplex)方式を使用して多重化する。そしてＩＤＵ１０は、ＯＤＵ２１側のチャネルを、ＯＤＵ２０側のチャネルと論理的に交差接続し、接続先のチャネルにおいて伝送される電気信号をＯＤＵ２０などに送信する。
【００１５】
ＯＤＵ２０は、屋外に設置されており、他の装置とアンテナを介して無線通信を行う。この無線通信は多重化されている。そして、ＯＤＵ２０は、多重化された無線信号と電気信号とをＭＯＤＥＭ（MOdulator-DEMdulator）により相互に変換し、多重化された電気信号をＩＤＵ１０との間で送受信する。ＯＤＵ２１は、Ｏ／Ｅにより電気信号と光信号とを相互に変換し、ＩＤＵ１０との間で光信号を送受信する。
【００１６】
図２を参照して、ＩＤＵ１０の構成について説明する。同図はＩＤＵ１０の構成を示すブロック図である。同図を参照すると、ＩＤＵ１０は、設定部１０３と切替部１０７とを有し、設定部１０３は、チャネル情報１０５を保持している。
【００１７】
チャネル情報１０５は、ＩＤＵ１０のメモリ（不図示）などに記憶される。チャネル情報１０５について図３を参照して説明する。図３は、ユーザがＩＤＵ１０の設定を行う前のチャネル情報１０５の構成の一例を示す図である。同図を参照すると、チャネル情報１０５には、接続元１０５Ａ、接続先１０５Ｂ、接続先ＩＤＵ１０５Ｃ、タイムスロット１０５Ｄ、およびチャネル状態１０５Ｅが含まれる。
【００１８】
接続元１０５Ａにはポート（接続元）を示す情報が格納され、接続先１０５Ｂには、そのポートの接続先のポートを示す情報が格納される。
【００１９】
図３において、「Radio port」は、電気信号に変換された無線信号を伝送するチャネルが接続されるポートを表し、「Opt port」は、電気信号に変換された光信号を伝送するチャネルが接続されるポートを表す。同図に示すように、ユーザが設定する前にこれらの情報は予めメモリ等に記憶されている。
【００２０】
接続先ＩＤＵ１０５Ｃには、一端が各ポート（接続元）に接続されるチャネルの他端に接続されるＩＤＵを示す情報が格納される。この情報は、ユーザが手動で入力する。同図に示すように、ユーザが接続先のＩＤＵを示す情報を入力する前は、未指定「―」の状態である。
【００２１】
タイムスロット１０５Ｄは、ＩＤＵ１０のＤＥＭＵＸ（DEMUltipleXer）がＴＤＭ方式で電気信号（光信号）を多重化するときに、各チャネルに割り当てるタイムスロット番号を示す情報である。同図に示すように、ユーザが設定する前に、これらの情報は予め記憶されている。
【００２２】
チャネル状態１０５Ｅは「Ｍ」、「Ｂ」、または「Ａ」のいずれかの状態をとる。「Ｍ」は、そのチャネルが、設定部１０３によりマスタチャネルとして登録されたことを意味する。「Ｂ」は、そのチャネルが、設定部１０３によりバックアップチャネルとして登録されたことを意味する。マスタチャネルは、接続先のポート（チャネル）および接続先ＩＤＵが指定されており、通信に使用されるチャネルである。バックアップチャネルは、接続先のチャネルまたは接続先ＩＤＵが指定されておらず、通信中にマスタチャネルに異常が検出されたとき、通信を継続するためにそのマスタチャネルと切り替えるためのチャネルである。同図に示すように、ユーザがポートにチャネルを接続する前は、接続先のチャネルおよび接続先ＩＤＵの指定がないため、全てのポート（チャネル）について未指定「―」の状態である。
【００２３】
「Ａ」は、そのチャネルにおいて異常が検出されたことを意味する。切替部１０７は、ＯＤＵ２０からデータ信号を受信すると、各チャネルにおけるデータ信号の受信レベルを計測することによってチャネルの異常を検出する。例えば、切替部１３は、データ信号の受信レベルが予め定められたしきい値以下であれば、そのチャネルの異常を検出し、チャネル状態１０５Ｅを「Ａ」に変更する。受信レベルは、ＢＥＲ（Bit Error Ratio）などである。また、チャネルのリンク状態の異常やＬＯＦ（Loss of Frame）をそのチャネルの異常として検出してもよい。
【００２４】
さらに、切替部１０７は、チャネルが接続される通信インターフェースにおける異常を検出する。通信インターフェースに異常が検出された場合、切替部１０７はその通信インターフェースに対応するチャネル全てのチャネル状態を「Ａ」にする。
【００２５】
なお、チャネル情報１０５は、チャネルの変調方式や伝送速度を示す情報を含む構成とすることもできる。
【００２６】
図４にユーザが各ポートにチャネルを接続する前の切替部１０５の構成を示す。同図を参照すると、切替部１３は、クロスコネクト部ＤＸＣ、無線ポートＲＰ、および光ポートＯＰを有する。クロスコネクト部ＤＸＣは各ポート（ＲＰ、ＯＰ）に接続される複数のチャネルを交差接続（クロスコネクト）する。無線ポートＲＰは、電気信号に変換された無線信号を伝送するチャネルを接続するための通信インターフェースであり、光ポートＯＰは、電気信号に変換された光信号を伝送するチャネルを接続するための通信インターフェースである。無線ポートＲＰは、８つの仮想的な無線ポートＲＰ１〜８を有し、光ポートＯＰは、８つの仮想的な光ポートＯＰ１〜８を有する。同図に示すように、例えば、光ポートＯＰ１〜３に対応するチャネルと無線ポートＲＰ１〜３に対応するチャネルとがそれぞれ接続され、光ポートＯＰ４〜６に対応するチャネルと無線ポートＲＰ５〜７に対応するチャネルとが接続されるように設定されている。
【００２７】
ユーザは、図４において、光ポートＯＰ１〜８にＩＤＵ１１（図１参照）からの電気信号（光信号）を伝送するチャネルＣＨ１〜８を接続する。また、ユーザは、無線ポートＲＰ１〜４に、ＩＤＵ１２からの電気信号（無線信号）を伝送するチャネルＣＨ１〜４を接続し、無線ポートＲＰ５〜８に、ＩＤＵ１３からの電気信号（無線信号）を伝送するチャネルＣＨ１〜４をする。
【００２８】
図５は、ユーザが各ポートにチャネルを接続するときの設定項目を示した図である。同図に示すように、ユーザは、ポートごとに、接続したチャネルを示す情報と接続先のＩＤＵを示す情報とを入力する。
【００２９】
図６にユーザが図５で示した設定を行った後のチャネル情報１０５を示す。同図に示すように、ＩＤＵ１０は、ユーザの設定内容に基づいて、接続元１０５Ａ、接続先１０５Ｂ、および接続先ＩＤＵ１０５Ｃを更新する。
【００３０】
例えば、「Opt Port１」〜「Opt Port８」は「Opt CH１」〜「Opt CH８」に更新され、「Radio Port１」〜「Radio Port４」は「Radio CH１」〜「Radio CH４」に更新され、「Radio Port５」〜「Radio Port８」は、「Radio CH１」〜「Radio CH４」に更新される。
【００３１】
そして、「Radio CH１」〜「Radio CH４」にＩＤＵ１２からの信号を伝送するチャネルが接続されたので、これらのチャネルの接続先ＩＤＵ１０５Ｃは、「１２」に更新される。「Radio CH１」〜「Radio CH４」にＩＤＵ１３からの信号を伝送するチャネルが接続されるので、これらのチャネルの接続先ＩＤＵ１０５Ｃは、「１３」に更新される。「Opt CH１」〜「Opt CH８」にＩＤＵ１１からの信号を伝送するチャネルが接続されるので、これらのチャネルの接続先ＩＤＵ１０５Ｃは、「１１」に更新される。
【００３２】
設定部１０３により登録されるバックアップチャネルは、接続先ＩＤＵ１０５Ｃが同一のマスタチャネルに対応するバックアップチャネルである。
【００３３】
設定部１０３は、更新されたチャネル情報１０５に基づいてＩＤＵ１０が起動したとき、接続先のチャネルが指定されたチャネルをマスタチャネルに登録し、接続先のチャネルが指定されていないチャネルをバックアップチャネルに登録する。
【００３４】
例えば、「Radio CH１」〜「Radio CH３」に接続先のチャネルが指定されているので、設定部１０３は、これらをマスタチャネルとして登録し、チャネル状態を「Ｍ」に更新する。一方、「Radio CH４」に接続先のチャネルが指定されていないので、設定部１０３は、これらをバックアップチャネルとして登録し、チャネル状態を「Ｂ」に更新する。
【００３５】
図７は、ユーザが各ポートにチャネルを接続し、ＩＤＵ１０の設定を行った場合の切替部１０７の構成を示した図である。同図を参照すると、ユーザにより各ポートにチャネルが接続され、設定部１０３によりマスタチャネル「Ｍ」とバックアップチャネル「Ｂ」とが登録されている。また、設定部１０３が図４で示した接続設定（接続元１０５Ａ、接続先１０５Ｂ）を有効にすることにより、図７に示すように、クロスコネクト部ＤＸＣは各チャネルを交差接続する。
【００３６】
なお、マスタチャネルおよびバックアップチャネルを登録する前に、各チャネルの異常を検出し、異常が検出されたチャネルは、マスタチャネルまたはバックアップチャネルに登録しない構成とすることもできる。
【００３７】
切替部１０７は、いずれかのマスタチャネルにおいて異常が検出されたとき、異常が検出されたマスタチャネルをバックアップチャネルに切り替える。このとき、切り替え先のバックアップチャネルの接続先ＩＤＵは、切り替え元のマスタチャネルの接続先ＩＤＵと同等のものとなるようにする。
【００３８】
例えば、無線ポートＲＰ３に接続されるチャネルに異常が検出されたときを考える。異常が検出されたチャネルの接続先ＩＤＵは「１２」である。一方、無線ポートＲＰ４に対応するバックアップチャネルの接続先ＩＤＵは、「１２」であり、無線ポートＲＰ８に対応するバックアップチャネルの接続先ＩＤＵは、「１３」である。このとき、切替部１０７は、接続先ＩＤＵが切り替え元と同じく「１２」であるバックアップチャネル（無線ポートＲＰ４）に切り替える。
【００３９】
上述した構成により、ＩＤＵ１０は、チャネル情報１０５に基づき、マスタチャネルとバックアップチャネルとを登録し、バックアップチャネルを交差接続（クロスコネクト）する。そして、いずれかのマスタチャネルに異常が検出されたとき、ＩＤＵ１０は異常の検出されたマスタチャネルをバックアップチャネルに切り替える。
【００４０】
次に、本実施形態の通信システム１の動作について説明する。図８は、本実施形態のＩＤＵ１０の動作を示すフローチャートである。同図を参照すると、ＩＤＵ１０が起動したとき、設定部１０３は設定処理を実行し（ステップＳ１０）、切替部１０７は切替処理を実行する（ステップＳ２０）。
【００４１】
図９を参照して、設定処理について説明する。同図は、設定部１０３が実行する設定処理を示すフローチャートである。同図を参照すると、設定部１０３は、チャネル情報１０５をキャッシュメモリ（不図示）などに読み込む（ステップＳ１００）。続いて、設定部１０３は、チャネル情報１０５において、いずれかのチャネル（接続元）を選択し、そのチャネルに接続先のチャネル（ポート）が指定されているか否かを判断する（ステップＳ１０１）。接続先のチャネルが指定されている場合（ステップＳ１０1：ＹＥＳ）、設定部１０３は、そのチャネルをマスタチャネルとして登録（設定）する（ステップＳ１０２）。そして、設定部１０３は、登録したマスタチャネルに時分割多重におけるタイムスロット番号を割り当て、電気信号（光信号）を多重化する（ステップＳ１０３）。設定部１０３は、チャネル情報１０５のチャネル（ポート）の接続設定（接続元１０５Ａ、接続先１０５Ｂ）を有効にする。この結果、各チャネルが交差接続される（ステップＳ１０４）。
【００４２】
接続先のチャネルが指定されていない場合（ステップＳ１０１：ＮＯ）、設定部１０３は、そのチャネルをバックアップチャネルとして登録する（ステップＳ１０５）。設定部１０３は、Ｓ１０１〜Ｓ１０５までの処理をすべてのチャネルについて行う（ステップＳ１０６）。そして、設定部１１は、登録したマスタチャネルおよびバックアップチャネルを示す情報と設定したタイムスロット番号を示す情報とをチャネル情報１０５に格納する。ステップＳ１０６の後、設定部１３は設定処理を終了する。
【００４３】
次に、図１０を参照して切替処理について説明する。同図は、切替部１０７の実行する切替処理を示すフローチャートである。まず、切替部１０７は、チャネル情報１０５をキャッシュメモリ（不図示）などに読み込む（ステップ２００）。そして、いずれかのチャネルにおいて異常が検出されたか否かを判断する（ステップＳ２０１）。
【００４４】
いずれかのチャネルに通信異常が検出された場合（ステップＳ２０１：ＹＥＳ）、切替部１０７は、通信異常が検出されたチャネルと同じ通信インターフェース（ＯＰまたはＲＰ）に接続されたいずれかのチャネルの接続先ＩＤＵおよびチャネル状態（「Ｍ」、「Ｂ」、または「Ａ」）を示す情報をチャネル情報１０５から読み出す。そして、切替部１０７は、そのチャネルが、異常の検出されたマスタチャネルと接続先ＩＤＵが一致するバックアップチャネル（「Ｂ」）であるか否かを判断する（ステップＳ２０２）。異常の検出されたマスタチャネルと接続先ＩＤＵが一致するバックアップチャネル（「Ｂ」）である場合（ステップＳ２０２：ＹＥＳ）、切替部１０７は、そのバックアップチャネルの接続先１０５Ｂを、異常の検出されたチャネルに対応する接続先１０５Ｂに変更する。そして、切替部１０７は、切替先のバックアップチャネルをマスタチャネルとして登録する（ステップＳ２０３）。切替部１０７は、異常が検出されたチャネルが、光ポートＯＰ側のチャネルであれば、時分割多重におけるタイムスロット番号を再度設定する（ステップＳ２０４）。切替部１０７は、異常の検出されたマスタチャネルがステップＳ２０３で登録されたマスタチャネル（バックアップチャネル）に切り替わるように、接続設定（接続元１０５Ａ、接続先１０５Ｂ）を更新する（ステップＳ２０５）。
【００４５】
ステップＳ２０１において、そのチャネルが異常の検出されたチャネルと接続先ＩＤＵが一致するバックアップチャネル（「Ｂ」）でない場合（ステップＳ２０１：ＮＯ）、切替部１０７は、全てのチャネルについてステップＳ２０１の処理を実行する（ステップＳ２０６）。
【００４６】
ステップＳ２０５またはステップＳ２０６の後、切替部１０７は、ステップＳ２０４およびステップＳ２０５で設定した内容に応じてチャネル情報１０５を更新する（ステップＳ２０７）。ステップＳ２０７の後、切替部１０７は切替処理を終了する。
【００４７】
次に、図１１〜図１４を参照して、ＩＤＵ１０の動作例について説明する。図１１は、無線ポートＲＰ５に対応するチャネルに異常が検出された場合の接続図である。切替部１０７は、異常が検出されたチャネルと同じポート（無線ポートＲＰ）側のバックアップチャネルのうち、異常の検出されたチャネルと接続先ＩＤＵ（「１３」）が一致するバックアップチャネル（無線ポートＲＰ８に対応するチャネル）を求める。切替部１０７は、図１２に示すように、求めたバックアップチャネル（「Radio CH４」）の接続先１０５Ｂを異常の検出されたチャネルに対応する接続先１０５Ｂ（「Opt CH４」）に設定を変更する（ステップＳ２０３）。設定の変更に応じて、異常の検出されたチャネル（「radio CH１」）はバックアップチャネル（「Radio CH４」）に切り替わる（ステップＳ２０５）。同図において、斜線部は、図３に示したチャネル情報と比較して切替処理により設定が変更された部分である。
【００４８】
切替処理により、図１１に示すように、異常が検出されたチャネルはバックアップチャネルに切り替えられ、通信を継続することができる。
【００４９】
図１３は、光ポートＯＰ４に対応するマスタチャネルに異常が検出された場合の接続図である。切替部１０７は、異常が検出されたチャネルと同じポート（光ポートＯＰ）側のバックアップチャネルのうち、異常の検出されたチャネルと接続先ＩＤＵ（「１１」）が一致するバックアップチャネル（光ポートＯＰ７に対応するチャネル）を求める。切替部１０７は、図１４に示すように、異常が検出されたチャネルが光ポートＯＰ側のチャネルであったので、タイムスロット番号を再設定する（ステップＳ２０４）。切替部１０７は、選択したバックアップチャネル（「Opt CH７」）の接続先１０５Ｂを異常の検出されたチャネルに対応する接続先１０５Ｂ（「Radio CH１」）に設定する（ステップＳ２０３）。設定の変更に応じて、異常の検出されたチャネル（「Opt CH４」はバックアップチャネル（「Opt CH７」）に切り替わる（ステップＳ２０５）。
【００５０】
以上説明したように、本実施形態によれば、ＩＤＵ１０は、バックアップチャネルを自動で設定し、異常が生じたチャネルをバックアップチャネルに切り替えるので、短時間で通信を回復できる。
【００５１】
また、バックアップチャネルに切り替えるとき、切替部１０７がチャネル情報１０５を更新するので、手動でチャネルの接続設定（接続元１０５Ａ、接続先１０５Ｂ）を変更する必要がなく、操作性が向上する。
【００５２】
切替のとき、ＩＤＵ１０は、異常が検出されたマスタチャネルと接続先ＩＤＵが一致するバックアップチャネルに切り替えるので、切替後も通信を継続できる。
【００５３】
ＩＤＵ１０は、通信インターフェースに異常が検出された場合は、チャネルの切替を行わないので、切替処理による処理負荷の増大を防ぐことができる。
【００５４】
ＩＤＵ１０は、異常が検出されたチャネルはバックアップチャネルに設定しないので、通信回復の信頼性が向上する。
【００５５】
ＩＤＵ１０は、マイクロ波無線システムで使用された場合、通信障害を早期に回復できるので、無線信号に特有の通信品質の劣化を防ぐことができる。
【００５６】
なお、ＩＤＵ１０とＯＤＵ（２０および２１）との間を光ケーブルで結ぶのでなく、同軸ケーブルのみで結ぶ構成とすることもできる。この場合、図１５に示すように、ＩＤＵ１０は無線信号から変換された電気信号を伝送するチャネルのみを交差接続する。光信号を電気信号に変換して多重化する必要がないので、設定部１０３はチャネル情報１０５においてタイムスロット番号（１０５Ｄ）を設定する必要がなくなる。
【００５７】
また、通信インターフェース（ポート）が複数ある場合、図１６に示すように、通信インターフェースごとにバックアップチャネルを登録する構成とすることが望ましい。つまり、バックアップチャネルを１つの通信インターフェースに集中するのでなく、各通信インターフェースに分散して登録する。同図では、無線ポートＲＰａ、ＲＰｂ、ＲＰｃ、およびＲＰｄのそれぞれにバックアップチャネルを登録している。この構成により、いずれかの通信インターフェースに通信負荷が集中することを避けることができる。
【００５８】
図８〜図１０で示した処理の全部または一部は、コンピュータがソフトウェアプログラムを実行することにより実現することもできる。
【００５９】
（第２実施形態）
第１実施形態ではＩＤＵを１台設けてＩＤＵとＯＤＵとを分離していたが、ＩＤＵは複数台設けてＩＤＵとＯＤＵとを一体とすることもできる。第２実施形態は、ＩＤＵを複数台設けてＩＤＵとＯＤＵとを一体化した点において第１実施形態と異なる。
【００６０】
図１７は、第２実施形態の通信システム２の構成を示す全体図である。同図に示すように、通信システム２は、ＩＤＵ１０ａ、１０ｂ、１０ｃ、および１０ｄの４台のＩＤＵを有する。同図において、ＩＤＵ１０ａには、多重化された電気信号（ｍ×Ｅ１）が伝送される同軸ケーブルが接続される。また、ＩＤＵ１０ａの光学インターフェース（Ｏｐｔ  ＩＦ）に光信号が伝送される光ケーブル接続される。ＩＤＵ１０ａは、光信号をＤＥＭＵＸにより多重化して電気信号（ｍ×Ｅ１）に変換し、多重化された電気信号（ｍ×Ｅ１）をＭＵＸにより１以上のチャネルに束ね、電気信号を光信号に変換する。ＩＤＵ１０ａは、多重化された電気信号（ｎ×Ｅ１）をＭＯＤＥＭにより、無線信号に変換する。
【００６１】
ＩＤＵ１０ｂ、１０ｃ、および１０ｄは、多重化された電気信号（ｎ×Ｅ１）をＭＯＤＥＭにより、無線信号に変換する。
【００６２】
そして、ＩＤＵ１０ａ、１０ｂ、１０ｃ、および１０ｄは、それぞれクロスコネクト機能を有する。この４台のＩＤＵは互いに電気信号を伝送するケーブルで接続され、各ＩＤＵのクロスコネクト機能は互いにリンクする。クロスコネクト機能がリンクすることにより、ある１台のＩＤＵのチャネルをそれ以外のＩＤＵのチャネルに交差接続することができる。図１７におけるＤＸＣ２は、４台のＩＤＵが互いにリンクして形成されるクロスコネクト部を意味する。
【００６３】
図１８に本実施形態の各チャネルの接続図を示す。同図を参照すると、ＩＤＵ１０ａにおいて電気信号に変換された光学インターフェース（Ｏｐｔ  ＩＦ）からの信号が伝送されるチャネル「６１」と、ＩＤＵ１０ｄにおいて多重化された電気信号が伝送されるチャネル（Tributary）「１」とが接続される。同図において、斜線の部分はバックアップチャネルである。
【００６４】
本実施形態によれば、複数のＩＤＵのクロスコネクト機能を相互にリンクさせて、各ＩＤＵの通信負荷を分散することができる。
【図面の簡単な説明】
【００６５】
【図１】第１実施形態の通信システムの全体図である。
【図２】第１実施形態のＩＤＵの構成を示すブロック図である。
【図３】第１実施形態のチャネル情報の構成を示す図である。
【図４】第１実施形態のＩＤＵにおける切替部の構成を示す図である。
【図５】第１実施形態のユーザの設定項目を示す図である。
【図６】第１実施形態のチャネル情報の構成を示す図である。
【図７】第１実施形態のＩＤＵにおける切替部の構成を示す図である。
【図８】第１実施形態のＩＤＵの動作を示すフローチャートである。
【図９】第１実施形態の設定処理を示すフローチャートである。
【図１０】第１実施形態の切替処理を示すフローチャートである。
【図１１】第１実施形態のチャネルに異常が検出されたときの接続図である。
【図１２】第１実施形態のチャネルに異常が検出されたときのチャネル情報の構成を示す図である。
【図１３】第１実施形態のチャネルに異常が検出されたときの接続図である。
【図１４】第１実施形態のチャネルに異常が検出されたときのチャネル情報の構成を示す図である。
【図１５】変形例におけるチャネルの接続図である。
【図１６】変形例におけるチャネルの接続図である。
【図１７】第２実施形態の通信システムの全体図である。
【図１８】第２実施形態のチャネルの接続図である。
【符号の説明】
【００６６】
１、２    通信システム
１０、１０ａ、１０ｂ、１０ｃ、１０ｄ、１１、１２、１３    ＩＤＵ
２０、２１  ＯＤＵ
１０３    設定部
１０５    チャネル情報
１０７    切替部
ＤＸＣ、ＤＸＣ２    クロスコネクト部
ＲＰ１〜８、ＲＰａ、ＲＰｂ、ＲＰｃ、ＲＰｄ    無線ポート
ＲＰ１〜８、    光ポート
Ｍ    マスタチャネル
Ｂ    バックアップチャネル
Ｓ１０、Ｓ２０、Ｓ１００〜Ｓ１０７、Ｓ２００〜Ｓ２０７    ステップ
【図１】
2009213058.tif 000003
【図２】
2009213058.tif 000004
【図３】
2009213058.tif 000005
【図４】
2009213058.tif 000006
【図５】
2009213058.tif 000007
【図６】
2009213058.tif 000008
【図７】
2009213058.tif 000009
【図８】
2009213058.tif 000010
【図９】
2009213058.tif 000011
【図１０】
2009213058.tif 000012
【図１１】
2009213058.tif 000013
【図１２】
2009213058.tif 000014
【図１３】
2009213058.tif 000015
【図１４】
2009213058.tif 000016
【図１５】
2009213058.tif 000017
【図１６】
2009213058.tif 000018
【図１７】
2009213058.tif 000019
【図１８】
2009213058.tif 000020